(57)【要約】【課題】すべり軸受の内周面に沿って流れる潤滑オイルが段差によって掻き取られるワイピング現象の発生を防止できるすべり軸受およびすべり軸受装置の提供。【解決手段】内燃機関のクランク軸またはクランクピンを支承する一対の軸受半円筒体１０，２０から成るすべり軸受である。このすべり軸受は分割型軸受ハウジング内に収容される。一対のハウジング分割体のうち、少なくとも相対的に高い剛性を有する一方のハウジング分割体に組み込まれる軸受半円筒体１０の内周面に、周方向に延在する多数の周方向溝１４が存在し、該軸受半円筒体の２つの周方向端面のうち、少なくとも軸回転方向とは反対方向を向いた周方向端面１２を含む軸受半円筒体１０の周方向端部領域に形成された周方向溝１４の深さが１０μｍ以上である。【選択図】図４
2010116961.tif 000002
【特許請求の範囲】
【請求項１】
内燃機関のクランク軸またはクランクピンを支承する一対の軸受半円筒体から成り、互いに組み合わせて円筒形状体として用いられるすべり軸受であり、その組み合わせ状態と整合する態様で２分割された円筒形状の軸受保持穴を有する分割型軸受ハウジング内に収容して用いられる前記すべり軸受において、
前記分割型軸受ハウジングを構成する一対のハウジング分割体が互いに異なる剛性を有し、
前記一対のハウジング分割体のうち、少なくとも相対的に高い剛性を有する一方の前記ハウジング分割体に組み込まれる前記軸受半円筒体の内周面に、周方向に延在する多数の周方向溝が存在し、該軸受半円筒体の２つの周方向端面のうち、少なくとも軸回転方向とは反対方向を向いた前記周方向端面を含む前記軸受半円筒体の周方向端部領域に形成された前記周方向溝の深さが１０μｍ以上になされている内燃機関用すべり軸受。
【請求項２】
前記内周面における前記周方向端部領域が、当該周方向端面を始点とする少なくとも円周角１０°、最大で円周角５０°に相当する周方向長さで規定される範囲である請求項１に記載された内燃機関用すべり軸受。
【請求項３】
前記周方向長さで規定される範囲以外の前記内周面の表面粗さが３．２μｍRz以下である請求項２に記載された内燃機関用すべり軸受。
【請求項４】
前記周方向溝のピッチが０．５ｍｍ〜１．５ｍｍである請求項１から請求項３までのいずれか一項に記載された内燃機関用すべり軸受。
【請求項５】
前記一方のハウジング分割体に組み込まれる前記軸受半円筒体の内周面に形成された前記周方向溝の溝底と、他方の前記ハウジング分割体に組み込まれる前記軸受半円筒体の内周面である、被支持軸との摺動面とが、前記一対の軸受半円筒体の突き合わせ端面で互いに整合する位置関係にある請求項１から請求項４までのいずれか一項に記載された内燃機関用すべり軸受。
【請求項６】
前記一対のハウジング分割体のうちの他方の前記ハウジング分割体に組み込まれる前記軸受半円筒体の内周面に、周方向に延在する多数の周方向溝が存在し、被支持軸に摺接する前記軸受半円筒体の内周面における、少なくとも軸回転方向とは反対側に位置する前記軸受半円筒体の周方向端部領域に形成された周方向溝の深さが１０μｍ以上になされている請求項１に記載された内燃機関用すべり軸受。
【請求項７】
他方の前記ハウジング分割体に組み込まれる前記軸受半円筒体の前記内周面における前記周方向端部領域が、当該周方向端面を始点とする少なくとも円周角１０°、最大で円周角５０°に相当する周方向長さで規定される範囲である請求項６に記載された内燃機関用すべり軸受。
【請求項８】
他方の前記ハウジング分割体に組み込まれる前記軸受半円筒体における、前記周方向長さで規定される範囲以外の前記内周面の表面粗さが３．２μｍRz以下である請求項７に記載された内燃機関用すべり軸受。
【請求項９】
他方の前記ハウジング分割体に組み込まれる前記軸受半円筒体における、前記周方向溝のピッチが０．５ｍｍ〜１．５ｍｍである請求項６から請求項８までのいずれか一項に記載された内燃機関用すべり軸受。
【請求項１０】
前記一対の軸受半円筒体の前記周方向端部領域における厚さ調整により、前記一方のハウジング分割体に組み込まれる前記軸受半円筒体の内周面と、他方の前記ハウジング分割体に組み込まれる前記軸受半円筒体の内周面とが前記突き合わせ端面で互いに整合している請求項６から請求項９までのいずれか一項に記載された内燃機関用すべり軸受。
【請求項１１】
内燃機関のクランク軸またはクランクピンを支承する一対の軸受半円筒体から成り、互いに組み合わせて円筒形状体として用いられるすべり軸受と、
前記一対の軸受半円筒体の組み合わせ状態と整合する態様で２分割された円筒形状の軸受保持穴を有し、該軸受保持穴内に前記一対の軸受半円筒体を収容する分割型軸受ハウジングとを含むすべり軸受装置において、
前記分割型軸受ハウジングを構成する一対のハウジング分割体が互いに異なる剛性を有し、
前記一対のハウジング分割体のうち、少なくとも相対的に高い剛性を有する一方の前記ハウジング分割体に組み込まれる前記軸受半円筒体の内周面に、周方向に延在する多数の周方向溝が存在し、該軸受半円筒体の２つの周方向端面のうち、少なくとも軸回転方向とは反対方向を向いた前記周方向端面を含む前記軸受半円筒体の周方向端部領域に形成された前記周方向溝の深さが１０μｍ以上になされている内燃機関のすべり軸受装置。
【請求項１２】
前記内周面における前記周方向端部領域が、当該周方向端面を始点とする少なくとも円周角１０°、最大で円周角５０°に相当する周方向長さで規定される範囲である請求項１１に記載された内燃機関のすべり軸受装置。
【請求項１３】
前記周方向長さで規定される範囲以外の前記内周面の表面粗さが３．２μｍRz以下である請求項１２に記載された内燃機関のすべり軸受装置。
【請求項１４】
前記周方向溝のピッチが０．５ｍｍ〜１．５ｍｍである請求項１１から請求項１３までのいずれか一項に記載された内燃機関のすべり軸受装置。
【請求項１５】
前記一方のハウジング分割体に組み込まれる前記軸受半円筒体の内周面に形成された前記周方向溝の溝底と、他方の前記ハウジング分割体に組み込まれる前記軸受半円筒体の内周面である、被支持軸との摺動面とが、前記一対の軸受半円筒体の突き合わせ端面で互いに整合する位置関係にある請求項１１から請求項１４までのいずれか一項に記載された内燃機関のすべり軸受装置。
【請求項１６】
前記一対のハウジング分割体のうちの他方の前記ハウジング分割体に組み込まれる前記軸受半円筒体の内周面に、周方向に延在する多数の周方向溝が存在し、被支持軸に摺接する前記軸受半円筒体の内周面における、少なくとも軸回転方向とは反対側に位置する前記軸受半円筒体の周方向端部領域に形成された周方向溝の深さが１０μｍ以上になされている請求項１１に記載された内燃機関のすべり軸受装置。
【請求項１７】
他方の前記ハウジング分割体に組み込まれる前記軸受半円筒体の前記内周面における前記周方向端部領域が、当該周方向端面を始点とする少なくとも円周角１０°、最大で円周角５０°に相当する周方向長さで規定される範囲である請求項１６に記載された内燃機関のすべり軸受装置。
【請求項１８】
他方の前記ハウジング分割体に組み込まれる前記軸受半円筒体における、前記周方向長さで規定される範囲以外の前記内周面の表面粗さが３．２μｍRz以下である請求項１７に記載された内燃機関のすべり軸受装置。
【請求項１９】
他方の前記ハウジング分割体に組み込まれる前記軸受半円筒体における、前記周方向溝のピッチが０．５ｍｍ〜１．５ｍｍである請求項１６から請求項１８までのいずれか一項に記載された内燃機関のすべり軸受装置。
【請求項２０】
前記一対の軸受半円筒体の前記周方向端部領域における厚さ調整により、前記一方のハウジング分割体に組み込まれる前記軸受半円筒体の内周面と、他方の前記ハウジング分割体に組み込まれる前記軸受半円筒体の内周面とが前記突き合わせ端面で互いに整合している請求項１６から請求項１９までのいずれか一項に記載された内燃機関のすべり軸受装置。
【発明の詳細な説明】
【技術分野】
【０００１】
本発明は、内燃機関のクランク軸またはクランクピンを支承する一対の軸受半円筒体から成り、互いに組み合わせて円筒形状体として用いられるすべり軸受であり、その組み合わせ状態と整合する態様で２分割された円筒形状の軸受保持穴を有する分割型軸受ハウジング内に収容して用いられる前記すべり軸受に関するものである（例えば、特許文献１参照）。
【背景技術】
【０００２】
内燃機関のクランクジャーナルまたはクランクピンを支承するすべり軸受は、一対の軸受半円筒体を互いに組み合わせて円筒形状体として用いられている。このすべり軸受と、被支持軸（すなわち、回転軸）との間には、強制的に潤滑オイルが供給される。
【０００３】
近年、内燃機関の軽量化が図られており、軸受ハウジングを構成する部材が低剛性化するという傾向がある。一対の軸受半円筒体を軸受ハウジング内に組み込んで、前記軸受キャップを、クランクケース側ハウジング、または、コンロッド側ハウジングに対してボルトで締結すると、形状の違いによる剛性の違いから低剛性である前記軸受キャップの弾性変形量が、クランクケース側ハウジング、または、コンロッド側ハウジングの弾性変形量に比して大きくなる。この状態が図１、図２に示されている。図１では、コンロッド側ハウジング（０１）に対して、軸受キャップ（０２）が、ボルト（０３）で締結されている。図２では、クランクケース側ハウジング（０４）に対して、軸受キャップ（０５）が、ボルト（０６）で締結されている。
【発明の開示】
【発明が解決しようとする課題】
【０００４】
このように、コンロッド側ハウジング（０１）、クランクケース側ハウジング（０４）に対する軸受キャップ（０２、０５）の相対的弾性変形量が大きいと、コンロッド側ハウジング（０１）と軸受キャップ（０２）の突合せ面、あるいは、クランクケース側ハウジング（０４）と軸受キャップ（０５）の突合せ端面における組み合わせ部材間の内径寸法差による比較的大きな段差（０７、０８）が生じる。このような段差が生じた状態では、ハウジングの軸受保持穴の変形形状に追従して、一対の軸受半円筒体（０９、０１０）から成るすべり軸受も弾性変形し、一対の軸受半円筒体（０９、０１０）の突合せ端面における両軸受半円筒体間の内径寸法差による、前記ハウジングの段差と同様な段差（０１１）（図３）が生じる。
【０００５】
一方、前記のとおり内燃機関の軽量化のために、機関潤滑用オイルポンプの小型化も図られており、この結果としての供給オイル量の低減化に対応して、すべり軸受と被支持軸（すなわち、クランクピンまたはクランクジャーナル）の間の隙間を可及的に狭くすることにより、すべり軸受の幅方向両端部からのオイル漏れ量を減らすという構成が採用されている。この構成において、すべり軸受の前記段差（０１１）が生じると、すべり軸受の内周面に沿って流れる潤滑オイルの流れが妨げられ、被支持軸（０１２：図３ではクランクピン）の回転方向（０１３）と同方向に流れる潤滑オイルが段差（０１１）によって掻き取られる「ワイピング現象」がおきやすくなる。この結果、すべり軸受の幅方向両端部からのオイル漏れ量が増し、すべり軸受の内周面（すなわち、摺動面）に対するオイル供給量が不足して、摩耗、焼付などの軸受不具合が生じる。
【０００６】
すべり軸受の突合せ端面における斯かる段差の発生を防ぐ試みが、特許文献２に記載されている。特許文献２の開示によれば、分割型軸受ハウジングをボルト締結すると、相対的に低剛性である軸受キャップの弾性変形量が相手ハウジングよりも大きいため、この変形量を考慮して、軸受キャップの内径形状を調整し、相手ハウジングとの突合せ面における両部材の肉厚を整合させた軸受が提案されている。
このような構成を採用しても、内燃機関の作動中は、分割型軸受ハウジングに動荷重が作用し、相対的に剛性の異なる軸受キャップと相手ハウジングとでは、弾性変形量が互いに異なり、すべり軸受の突合せ端面における前記段差の発生と、それに伴って発生するワイピング現象を防ぐことはできない。
【特許文献１】特開平８−２１０３５５号公報
【特許文献２】特表平９−５１１０５０号公報
【０００７】
かくして、本発明の目的は、分割型軸受ハウジング内に保持された一対の軸受半円筒体から成るすべり軸受の突合せ端面における、両軸受半円筒体間の内径寸法差による段差が生じても、被支持軸（クランクピンまたはクランクジャーナル）の回転方向と同方向に、すべり軸受の内周面に沿って流れる潤滑オイルが段差によって掻き取られる「ワイピング現象」の発生を防止できるすべり軸受を提供することである。
【課題を解決するための手段】
【０００８】
前記目的に照らし、本発明の第一の観点によれば、以下のすべり軸受が提供される。
内燃機関のクランク軸またはクランクピンを支承する一対の軸受半円筒体から成り、互いに組み合わせて円筒形状体として用いられるすべり軸受であり、その組み合わせ状態と整合する態様で２分割された円筒形状の軸受保持穴を有する分割型軸受ハウジング内に収容して用いられる前記すべり軸受において、
前記分割型軸受ハウジングを構成する一対のハウジング分割体が互いに異なる剛性を有し、
前記一対のハウジング分割体のうち、少なくとも相対的に高い剛性を有する一方の前記ハウジング分割体に組み込まれる前記軸受半円筒体の内周面に、周方向に延在する多数の周方向溝が存在し、該軸受半円筒体の２つの周方向端面のうち、少なくとも軸回転方向とは反対方向を向いた前記周方向端面を含む前記軸受半円筒体の周方向端部領域に形成された前記周方向溝の深さが１０μｍ以上になされている内燃機関用すべり軸受。
ここで、内燃機関の分割型軸受ハウジングに生じる段差のサイズは、一般的には最大でも１０μｍ程度であり、このことを考慮して、周方向溝深さを１０μｍ以上に限定した。周方向溝深さが１０μｍ以上であれば、すべり軸受の内周面に沿う潤滑オイルの流れが、段差をなす軸受半円筒体の周方向端面で阻害されることはないからである。
本発明の第二の観点によれば、以下のすべり軸受装置が提供される。
内燃機関のクランク軸またはクランクピンを支承する一対の軸受半円筒体から成り、互いに組み合わせて円筒形状体として用いられるすべり軸受と、
前記一対の軸受半円筒体の組み合わせ状態と整合する態様で２分割された円筒形状の軸受保持穴を有し、該軸受保持穴内に前記一対の軸受半円筒体を収容する分割型軸受ハウジングとを含むすべり軸受装置において、
前記分割型軸受ハウジングを構成する一対のハウジング分割体が互いに異なる剛性を有し、
前記一対のハウジング分割体のうち、少なくとも相対的に高い剛性を有する一方の前記ハウジング分割体に組み込まれる前記軸受半円筒体の内周面に、周方向に延在する多数の周方向溝が存在し、該軸受半円筒体の２つの周方向端面のうち、少なくとも軸回転方向とは反対方向を向いた前記周方向端面を含む前記軸受半円筒体の周方向端部領域に形成された前記周方向溝の深さが１０μｍ以上になされている内燃機関のすべり軸受装置。
【０００９】
本発明の第一の実施形態によれば、前記内周面における前記周方向端部領域が、当該周方向端面を始点とする少なくとも円周角１０°、最大で円周角５０°に相当する周方向長さで規定される範囲である。この円周角範囲は、すべり軸受の内周面（すなわち、摺動面）における主荷重受部を除く範囲である。
本発明の第二の実施形態によれば、前記円周角周方向長さで規定される範囲以外の前記内周面の表面粗さが３．２μｍRz以下である。
本発明の第三の実施形態によれば、前記周方向溝のピッチが０．５ｍｍ〜１．５ｍｍである。
本発明の第四の実施形態によれば、前記一方のハウジング分割体に組み込まれる前記軸受半円筒体の内周面に形成された前記周方向溝の溝底と、他方の前記ハウジング分割体に組み込まれる前記軸受半円筒体の内周面である、被支持軸との摺動面とが、前記一対の軸受半円筒体の突き合わせ端面で互いに整合する位置関係にある。
本発明の第五の実施形態によれば、前記一対のハウジング分割体のうちの他方の前記ハウジング分割体に組み込まれる前記軸受半円筒体の内周面に、周方向に延在する多数の周方向溝が存在し、該軸受半円筒体の２つの周方向端面のうち、少なくとも軸回転方向とは反対方向を向いた前記周方向端面を含む前記軸受半円筒体の周方向端部領域に形成された前記周方向溝の深さが１０μｍ以上になされる。
本発明の第六の実施形態によれば、他方の前記ハウジング分割体に組み込まれる前記軸受半円筒体の前記内周面における前記周方向端部領域が、当該周方向端面を始点とする少なくとも円周角１０°、最大で円周角５０°に相当する周方向長さで規定される範囲である。
本発明の第七の実施形態によれば、他方の前記ハウジング分割体に組み込まれる前記軸受半円筒体における、前記周方向長さで規定される範囲以外の前記内周面の表面粗さが３．２μｍRz以下である。
本発明の第八の実施形態によれば、他方の前記ハウジング分割体に組み込まれる前記軸受半円筒体における、前記周方向溝のピッチが０．５ｍｍ〜１．５ｍｍである。
本発明の第九の実施形態によれば、前記一対の軸受半円筒体の前記周方向端部領域における厚さ調整により、前記一方のハウジング分割体に組み込まれる前記軸受半円筒体の内周面と、他方の前記ハウジング分割体に組み込まれる前記軸受半円筒体の内周面とが前記一対の軸受半円筒体の突き合わせ端面で互いに整合する。この構成では、ワイピング防止効果が高まり、動荷重負荷による変動段差が大きい場合でも、一対の軸受半円筒体がお互いに周方向溝内を流れるオイルの障壁になりにくい。
【発明の効果】
【００１０】
本発明の利点は以下のとおりである。
（１）分割型軸受ハウジングを構成する一対のハウジング分割体のうち、相対的に低い剛性を有するハウジング分割体は、相対的に高い剛性を有するハウジング分割体に比して、組み付け状態で弾性変形量が大きく、それに対応して、相対的に低い剛性を有するハウジング分割体に組み込まれた軸受半円筒体の弾性変形量も、相対的に高い剛性を有するハウジング分割体に組み込まれた軸受半円筒体の弾性変形量に比して大きい。そのため、両軸受半円筒体の周方向端面（すなわち、突合せ端面）における内径が、互いに相違し、通常、相対的に高い剛性を有するハウジング分割体に組み込まれた軸受半円筒体の突合せ端面が、相対的に低い剛性を有するハウジング分割体に組み込まれた軸受半円筒体の突合せ端面に対して、内側（すべり軸受の軸線側）に突出した状態になる。この偏位した状態は、相対的に高い剛性を有するハウジング分割体に組み込まれた軸受半円筒体の突合せ端面が、すべり軸受の内周面（すなわち、摺動面）側で突出する段差として把握される。従来のすべり軸受にあっては、この段差によるオイル掻き取り現象（ワイピング現象）が生じていたが、本発明では、一対のハウジング分割体のうち、少なくとも相対的に高い剛性を有する一方の前記ハウジング分割体に組み込まれる軸受半円筒体の内周面に、周方向に延在する多数の周方向溝が存在し、該軸受半円筒体の２つの周方向端面のうち、少なくとも軸回転方向とは反対方向を向いた前記周方向端面を含む軸受半円筒体の周方向端部領域に形成された前記周方向溝の深さが１０μｍ以上になされているため、すべり軸受の内周面に沿って被支持軸の回転方向に流れる潤滑オイルの流れが前記段差によって阻害されずに、深さが１０μｍ以上の周方向溝に案内されて円滑にすべり軸受の内周面に沿って流れる。故に、軸受半円筒体の突合せ端面において、前記段差に沿って、すべり軸受の幅方向に流れる潤滑オイルの量を低減化でき、オイル供給量の不足による軸受の摩耗、焼付などの不具合を効果的に防ぐことができる。
（２）本発明の第一および第二の実施形態において、１０μｍ以上の大きな深さの周方向溝の形成範囲を、周方向端面を始点とする少なくとも円周角１０°、最大で円周角５０°に相当する周方向長さで規定される範囲に限定し、主荷重受部の摺動面粗さを通常の表面粗さである３．２μｍRz以下にすることにより、主荷重受部における油膜形成を通常通りに維持できる。
（３）本発明の第三の実施形態において、周方向溝の凸部は、軸受幅方向における潤滑オイル漏れの障壁となるが、周方向溝のピッチを０．５ｍｍ以上にすることにより、各凸条部の頂点付近の横断面積が大きくなるので、凸条部の強度が高くなり、相手軸と接触しても塑性変形し難く、かつ、摩耗し難くなるので、該頂部と被支持軸との間隙の増加を防ぐことができ、軸受幅方向への潤滑オイルの漏れ量の増加を防ぐことができる。周方向溝のピッチが０．５ｍｍ未満の場合には、各凸条部の頂点付近の横断面積が小さくなるので、凸条部の強度が低くなり、相手軸と接触しても塑性変形しやすく、かつ、摩耗しやすくなる。また、周方向溝のピッチが上限１．５ｍｍを超えると、凸条部の数が少なくなり過ぎて、各凸条部の頂点における被支持軸との接触面圧が高くなり、摩耗量の増大を招く。
（４）本発明の第四の実施形態では、前記一方のハウジング分割体に組み込まれる軸受半円筒体の内周面に形成された周方向溝の溝底と、他方の前記ハウジング分割体に組み込まれる前記軸受半円筒体の内周面である、被支持軸との摺動面とが、前記一対の軸受半円筒体の突き合わせ端面で互いに整合する位置関係にある。このような構成を採用すれば、前記一方のハウジング分割体に組み込まれる軸受半円筒体の内周面にのみ深さ１０μｍ以上の周方向溝が形成され、他方の前記ハウジング分割体に組み込まれた前記軸受半円筒体の内周面の表面粗さが通常の粗さ（例えば、３．２μｍRz以下）であって、後者の軸受半円筒体の一方の周方向端面が段差状に突出しており、前者側から後者側に向かって潤滑オイルが流れる際に、後者の軸受半円筒体の前記周方向端面がオイルの流れの障壁になることがない。
（５）本発明の第五の実施形態では、前記一対のハウジング分割体のうちの他方の前記ハウジング分割体に組み込まれる前記軸受半円筒体の内周面に、周方向に延在する多数の周方向溝が存在し、該軸受半円筒体の２つの周方向端面のうち、少なくとも軸回転方向とは反対方向を向いた前記周方向端面を含む前記軸受半円筒体の周方向端部領域に形成された前記周方向溝の深さが１０μｍ以上になされる。動荷重負荷により相対的低剛性の分割型ハウジングの突合せ端面での内径が減少する側への弾性変形が大きい場合（クローズイン）には、すべり軸受を構成する一対の軸受半円筒体の両者に周方向溝を形成すると、弾性変形による段差が発生しても、両軸受半円筒体の周方向端面がお互いに周方向溝内を流れるオイルの障壁になり難い。
（６）本発明の第五〜第九の実施形態では、前記一対の軸受半円筒体の前記周方向端部領域における厚さ調整により、前記一方のハウジング分割体に組み込まれる前記軸受半円筒体の内周面と、他方の前記ハウジング分割体に組み込まれる前記軸受半円筒体の内周面とが前記突き合わせ端面で互いに整合している。この構成によれば、ワイピング現象発生の防止効果が高まり、動荷重負荷による変動段差が大きい場合でも、一対のワイピング防止効果が高まり、動荷重負荷による変動段差が大きい場合でも、一対の軸受半円筒体がお互いに周方向溝内を流れるオイルの障壁になり難い。
以下、添付図４〜図８を見ながら本発明の実施例および比較例について説明する。
【実施例】
【００１１】
図４は、本発明の一実施例に係る、一対の軸受半円筒体１０、２０から成るすべり軸受の一部を、軸線と交差する横断面図として示している。このすべり軸受は、図１または図２に示す軸受ハウジングによって図３に示される態様で保持される。図４では、軸受半円筒体１０、２０によって、矢印Ａ方向に回転する被支持軸３０（クランクピンまたはクランクジャーナルである）が支持されている。被支持軸３０と軸受半円筒体１０、２０との間には間隙ＣＬ１が存在し、間隙ＣＬ１内に、潤滑オイルＯＩＬが加圧供給され、矢印Ａ方向と同方向であるＢ方向に流動する。
分割型ハウジングの相対的に高剛性であるハウジング分割体に組み込まれる軸受半円筒体１０の内周面において、周方向端部領域に、深さ１０μｍ以上の多数の周方向溝１４が形成されている。周方向溝１４を、軸受半円筒体１０の周方向端面１２側から見ると図５（１）または（２）のようになっている。図５（１）、（２）に示した周方向溝１４は、深さＨが等しく、互いにピッチが相違する（ピッチの違いが作用効果に及ぼす影響については、００１０欄の項目（３）で述べた）。周方向溝１４は、軸受半円筒体１０の周方向端面１２から少なくとも円周角１０°、最大で円周角５０°に相当する周方向長さ範囲に形成するのが好ましい（図８参照）。
また、周方向溝１４は、必須ではないが、図示されない他方の周方向端面を始点とする少なくとも円周角１０°、最大で円周角５０°に相当する周方向長さ範囲にも形成可能である。周方向溝１４が形成されない内周面範囲では、通常の粗さである３．２μｍRz以下になされる。
【００１２】
分割型ハウジングの相対的に低剛性であるハウジング分割体に組み込まれる軸受半円筒体２０は、一対のハウジング分割体をボルトで締結して組み立てた時に、低剛性であるハウジング分割体の相対的に大きな弾性変形に付随して、軸受半円筒体１０に比し、周方向端面２２位置で相対的に大きく外側に変形偏位して、周方向端面２２の外側段差部２４が生じ、また、周方向端面２２の偏位に対応して、周方向端面１２の内側段差部１６が生じる。内側段差部１６が生じた箇所では、被支持軸３０と軸受半円筒体１０との間隙ＣＬ１に比して大きな、被支持軸３０と軸受半円筒体２０との間の間隙ＣＬ２が形成される。
【００１３】
間隙ＣＬ２内で矢印Ｂ方向に流れる潤滑オイルＯＩＬは、軸受半円筒体１０の周方向端面１２の一部である内側段差部１６でも、その流れを妨げられることなく、周方向溝１４に誘導され、軸受半円筒体１０の内周面に沿って円滑に流れる。この状態を図６、図７に示す。周方向溝１４の深さＨは１０μｍ以上に設定されるが、この大きさは、内燃機関のクランクピン用分割型軸受およびクランクジャーナル用分割型軸受で生じる軸受組み付け時の変形、および、内燃機関作動時の動的変形に対処でき、軸受半円筒体２０の内周面（すなわち、摺動面）が、周方向溝１４の溝底よりも上位（図４では、右側）にある。このことによって、相対的に大きな間隙ＣＬ２部分を流れて軸受半円筒体１０の周方向端面１２に達した潤滑オイルＯＩＬが周方向溝１４に首尾よく誘導される。したがって、軸受半円筒体２０の幅方向両端から外部に流出する潤滑オイルの量が十分に低減化される。
仮に、従来の分割型すべり軸受のように、軸受半円筒体１０の内周面周方向端部領域に、相対的に大きな深さＨの多数の周方向溝１４が存在しない場合、間隙ＣＬ２部分を流れて軸受半円筒体の周方向端面に達した潤滑オイルＯＩＬは、周方向端面で流れが妨げられ、間隙ＣＬ２が間隙ＣＬ１に比して大きくなっていることとも相俟って、軸受半円筒体の周方向端面に沿って軸受幅方向（図４では紙面に対して垂直方向）に流れて、多量の潤滑オイルが滑り軸受の幅方向両端から外部に流出する結果となる。
【００１４】
ここで、軸受半円筒体１０、２０の四つの内周面周方向端部領域のうちのいずれに、相対的に大きな深さＨの周方向溝を形成するかについて考察する。軸受ハウジングで保持される内燃機関の分割型すべり軸受の典型的な組み付け変形状態（静的変形状態）は、図４に示されるように、低剛性であるハウジング分割体に保持される軸受半円筒体２０の周方向両端部が外側に変形偏位して、軸受半円筒体１０に対して拡開状に弾性変形した状態である。この状態では、図４に示されるとおり、軸受半円筒体１０の２つの周方向端面のうち、軸回転方向Ａとは反対方向を向いた周方向端面１２を含む軸受半円筒体１０の周方向端部領域に周方向溝１４を設ければ十分である。しかしながら、内燃機関の作動状態では、動的変形により、低剛性であるハウジング分割体に保持される軸受半円筒体２０の周方向端面２２が、軸受半円筒体１０の周方向端面１２よりも内側（すなわち、被支持軸３０側）に変形偏位する状態（クローズイン状態）も出現するだろう。また、分割型軸受ハウジングをボルトで定着するときに突合せ面の位置がずれる場合や、すべり軸受および軸受ハウジングの製造時の加工誤差のために突合せ面の位置がずれる場合がある。このため、軸受ハウジングに対して分割型すべり軸受を組み付けた状態（静的状態）であっても、分割型軸受ハウジングの組み付け状態によっては、常に、図４に示す状態になる保証はないので、軸受半円筒体１０、２０の全ての周方向端部領域に、相対的に大きな深さの多数の周方向溝を形成することも妥当であろう。この状態が図８に示されている。
【００１５】
図８は、内燃機関のコネクチングロッド４０がクランクピン６０に結合された状態を示す。コネクチングロッド４０の大端部４２と、大端部４２に対してボルトで締結される軸受キャップ５０とで分割型軸受ハウジングが形成され、軸受ハウジングの軸受保持穴内に分割型すべり軸受が装着され、軸受保持穴とすべり軸受をクランクピン６０が貫通する。分割型すべり軸受は、一対の軸受半円筒体１０Ａ、１０Ｂから成る。軸受半円筒体１０Ａ、１０Ｂの全ての内周面周方向端部領域に、図４に示す多数の周方向溝１４と同様な態様で、周方向溝１４Ａ、１４Ｂ、１４Ｃ、１４Ｄが形成されている。これら周方向溝の形成範囲は、軸受半円筒体１０Ａ、１０Ｂの各周方向端面から軸受内周面に沿って円周角αに相当する周方向長さ範囲である。この角度αは、軸受半円筒体１０Ａ、１０Ｂの主荷重受部である、コネクチングロッド４０の軸線Ｌで規定される軸受半円筒体１０Ａ、１０Ｂの中央領域を省いて決定され、適正角度は、α＝１０°〜５０°である。なお、図８において、全ての円周角を同一角αにしているが、これらの角度は必ずしも同一にする必要はない。
【００１６】
周方向溝の横断面形状は、図５に示されるような円弧形状に限らず、Ｖ形状であってもよい。周方向溝の形成方法としては、刃先がV形状または円弧形状の切削刃を用い、旋削加工により、切削刃先の形状を軸受半円筒体の内周面の周方向端部に転写させることにより形成できる。
周方向溝の横断面形状がＶ形状の場合、軸受半円筒体の突き合わせ面で生じる段差面積の約５０％以上が周方向溝の凹部で形成される（これは、段差部の壁厚さに換算すると、内周面を基準にして厚さを１／２以上減少させたことに等しい）ので、潤滑オイルの流通路面積が十分確保される。
周方向溝の横断面形状が円弧形状である場合、軸受半円筒体の突き合わせ面で生じる段差面積の約２／３が周方向溝の凹部で形成される（これは、段差部の壁厚さに換算すると、内周面を基準にして厚さを２／３以上減少させたことに等しい）ので、潤滑オイルの流通路面積が十分確保される。
また、本願の分割型すべり軸受の軸受半円筒体には、従来の分割型すべり軸受と同じく、軸受半円筒体の厚さを、軸受周方向の中央部から端面に向って薄くなるように偏肉させ、あるいはまた、軸受半円筒体の周方向端部領域の内周面側にクラッシュリリーフや面取りを形成することもできる。
【００１７】
［本発明例１〜４］
（１）本発明例１：  コネクチングロッドの大端部に保持される軸受半円筒体の内周面全体に、深さ１０μｍ以上、ピッチ０．５〜１．５ｍｍの周方向溝を形成する。軸受キャップに保持される軸受半円筒体の内周面には周方向溝を付与しない。一対の軸受半円筒体を組み込んで、ボルト締結によってコネクチングロッドの大端部に軸受キャップを組み付けた時、図４、図８に示されるように、軸受キャップに保持される軸受半円筒体の内周面周方向端部領域が外側に拡開せしめられる。
（２）本発明例２：  コネクチングロッドの大端部に保持される軸受半円筒体の内周面周方向両端部領域である円周角α＝１０°〜５０°に相当する周方向長さ範囲において、深さ１０μｍ以上、ピッチ０．５〜１．５ｍｍの周方向溝を付与する。また、内周面周方向両端部領域以外の内周面（主荷重受部）に表面粗さ３．２μｍRz以下を付与する。軸受キャップに保持される軸受半円筒体の内周面には周方向溝を付与しない。一対の軸受半円筒体を組み込んで、ボルト締結によってコネクチングロッドの大端部に軸受キャップを組み付けた時、図４、図８に示されるように、軸受キャップに保持される軸受半円筒体の内周面周方向端部領域が外側に拡開せしめられる。
（３）本発明例３：  コネクチングロッドの大端部に保持される軸受半円筒体の内周面全体に、深さ１０μｍ以上、ピッチ０．５〜１．５ｍｍの周方向溝を付与する。軸受キャップに保持される軸受半円筒体の内周面には周方向溝を付与しない。一対の軸受半円筒体を組み込んで、ボルト締結によってコネクチングロッドの大端部に軸受キャップを組み付けた時、図４、図８に示されるように、軸受キャップに保持される軸受半円筒体の内周面周方向端部領域が外側に拡開せしめられる。
（４）本発明例４：  コネクチングロッドの大端部に保持される軸受半円筒体の内周面全体に、深さ１０μｍ以上、ピッチ０．５〜１．５ｍｍの周方向溝を付与する。軸受キャップに保持される軸受半円筒体の内周面全体に、深さ１０μｍ以上、ピッチ０．５〜１．５ｍｍの周方向溝を付与する。また、軸受キャップに保持される軸受半円筒体の内周面周方向両端部の壁厚さを通常よりも厚くして、ボルト締結によってコネクチングロッドの大端部に軸受キャップを組み付けた静的状態で、対をなす軸受半円筒体の突合せ端面における内径部を整合状態にする。一対の軸受半円筒体を組み込んで、ボルト締結によってコネクチングロッドの大端部に軸受キャップを組み付けた時、図４、図８に示されるように、軸受キャップに保持される軸受半円筒体の内周面周方向端部領域が外側に拡開せしめられる。
（５）比較例：  コネクチングロッドの大端部に保持される軸受半円筒体、および、軸受キャップに保持される軸受半円筒体のいずれの内周面にも、周方向溝を付与しない。一対の軸受半円筒体を組み込んで、ボルト締結によってコネクチングロッドの大端部に軸受キャップを組み付けた時、図４、図８に示されるように、軸受キャップに保持される軸受半円筒体の内周面周方向端部領域が外側に拡開せしめられる。
【００１８】
［本発明例と比較例の対比］
比較例について：  一対の軸受半円筒体を組み込んで、ボルト締結によってコネクチングロッドの大端部に軸受キャップを組み付けた時、図４、図８に示されるように、軸受キャップに保持される軸受半円筒体の内周面周方向端部領域が外側に拡開せしめられるため、該軸受半円筒体と、コネクチングロッドの大端部に保持される軸受半円筒体との突合せ端面部分で、段差が形成される。このため、相対的に剛性の高いコネクチングロッドの大端部に保持された軸受半円筒体の周方向端面が、周方向に流れる潤滑オイルの障壁になり、ワイピング現象が起こる。その結果、オイル漏れ量が増し、すべり軸受の摺動面へのオイル供給不良を起こす。
本発明例１について：  相対的に高剛性であるコネクチングロッドの大端部に保持される軸受半円筒体の内周面周方向端部領域に、深さ１０μｍ以上、ピッチ０．５〜１．５ｍｍの周方向溝を付与するので、相対的に剛性の高いコネクチングロッドの大端部に保持された軸受半円筒体の周方向端面がオイルの流れの障壁にならず、潤滑オイルが周方向溝内を流れるため、ワイピング現象が起こらない。
本発明例２について：  相対的に高剛性であるコネクチングロッドの大端部に保持される軸受半円筒体の内周面周方向端部領域に、深さ１０μｍ以上、ピッチ０．５〜１．５ｍｍの周方向溝を付与するので、潤滑オイルのワイピング現象を防止できる。さらに、内周面周方向両端部領域以外の内周面（主荷重受部）に表面粗さ３．２μｍRz以下を付与するので、主荷重受部である摺動面において、油膜が形成され易く、すべり軸受の耐負荷能力が良好である。
本発明例３について：  内燃機関運転の動荷重負荷の往復慣性力により軸受キャップ側の合わせ面をむすぶ方向の内径が減少するクローズイン現象により段差が増減を繰り返す変動をする場合でも、一対の半割軸受の周方向端面がオイルの流れの障壁にならず、ワイピングを防止できる。
本発明例４について：  相対的に低剛性である軸受キャップの内周面周方向両端部の壁厚さを通常よりも厚くして、対をなす軸受半円筒体の突合せ端面における内径部を整合状態にするので、ワイピング防止効果が更に向上する。また、軸受内周面とクランクピンとの間隙が減少するため、潤滑オイルの漏れ量が低減化される。
【００１９】
［ワイピング抑制効果確認試験］
（１）試験は、表２に示す試験材を用いて、図９に示す態様で、一対の軸受半円筒体１０Ｃ、１０Ｄを組み合わせて行なった。なお、実施例１および実施例２の周方向溝の形成範囲は、軸受半円筒体１０Ｃ、１０Ｄの各周方向端面を始点とする軸受内周面に沿う円周角α＝４５°に相当する周方向長さ範囲である。試験軸３０Ａを、軸受半円筒体１０Ｃ、１０Ｄで支承し、軸受半円筒体１０Ｃの周方向中間位置に形成した給油口１０ａを通じて、試験軸３０Ａと、すべり軸受である軸受半円筒体１０Ｃ、１０Ｄとの間に潤滑オイルを供給した。矢印Ａで示す試験軸３０Ａの回転方向に対して、ワイピング発生の懸念があるＸ箇所に近い位置Ｙで温度測定を行なった。位置Ｙは、軸受半円筒体１０Ｄの周方向端面を始点とする、軸受半円筒体１０Ｄの外周面に沿って高さ７ｍｍ離れている（図９における上下方向高さ位置）。
（２）試験方法：  表１に示す試験条件で、動荷重（回転荷重）軸受試験機を用いて行なった。本発明試験材１〜３、比較試験材の仕様を表２に示す。
まず、一対の軸受半円筒体１０Ｃ、１０Ｄの周方向端面を突き合わせ、突き合わせ部において、軸受半円筒体１０Ｃ、１０Ｄの位置ずれ（段差）がない状態で試験を行ない、位置Ｙにおいて、温度を測定した。次に図９で示すように、一対の軸受半円筒体１０Ｃ、１０Ｄの周方向端面を突き合わせ、突き合わせ部において、軸受半円筒体１０Ｃ、１０Ｄの位置ずれ（段差）がある状態で試験を行ない、位置Ｙにおいて、温度を測定した。この温度差によって、ワイピング発生による潤滑状態の変化を確認できる。
試験結果を、図１０に示す。図示グラフの縦軸は、軸受半円筒体１０Ｃの位置Ｙにおける軸受半円筒体１０Ｃ、１０Ｄの位置ずれ（段差）がある状態とない状態での温度差（すなわち、上昇温度）を示す。各試験材ごとに、２種類の突き合わせ部偏位量（または段差量）ｔ＝１０μｍ（左側の無地の表示棒）、および、ｔ＝２０μｍ（右側の砂地模様表示棒）の場合の、試験による上昇温度を示した（偏位量ｔについては、図９参照）。各表示棒の上に示した数字は、縦軸の目盛温度に対応する。
図１０から判るように、相対的に大きな深さの周方向溝を、軸受半円筒体の内周面周方向端部領域に設けた場合の位置Ｙにおける軸受温度上昇値は小さく、良好な潤滑状態が維持される。また、相対的に大きな深さの周方向溝を、軸受半円筒体の全内周面に設けた場合でも、相対的に大きな深さの周方向溝を設けない在来の比較試験材に比して、位置Ｙにおける軸受温度上昇値は小さく、相対的に良い潤滑状態が維持されることが判る。
【００２０】
【表１】
2010116961.tif 000003
【００２１】
【表２】
2010116961.tif 000004
【図面の簡単な説明】
【００２２】
【図１】従来例に係わるコネクチングロッド大端部と、これに組み合わされた軸受キャップを示す正面図。
【図２】従来例に係わるクランクケースの一部と、これに組み合わされた軸受キャップを示す正面図。
【図３】従来例に係わるコネクチングロッド大端部と軸受キャップとで構成される軸受ハウジングと、これに保持されたコネクチングロッド軸受と、クランクピンとを示す正面図。
【図４】本発明の一実施例に係わる分割型すべり軸受と、これに支持された被支持軸（回転軸）のいずれも一部を示す図面。
【図５】図４における矢印Ｂ方向から見た軸受半円筒体の周方向端面を示す図（（１）、（２）は周方向溝のピッチの違いを示す）。
【図６】図５と同様な図であるが、周方向溝内を流れる潤滑オイルをも示す。
【図７】図４において段差が生じた箇所（一対の軸受半円筒体の突き合わせ端面位置）をすべり軸受の内周面側から見た図。
【図８】本発明の他の実施例に係わる、コネクチングロッド大端部と軸受キャップとで構成される軸受ハウジングと、これに保持されたコネクチングロッド軸受と、クランクピンとを示す図。
【図９】本発明試験材である分割型すべり軸受であるコネクチングロッド軸受と、クランクピンとを示す図。
【図１０】本発明試験材および比較試験材について実施したワイピング抑制効果確認試験の結果を試験前後の温度変化（温度上昇）で示すグラフ。
【符号の説明】
【００２３】
１０  軸受半円筒体
１０Ａ、１０Ｂ  軸受半円筒体
１２  周方向端面
１４  周方向溝
１４Ａ、１４Ｂ、１４Ｃ、１４Ｄ  周方向溝
１６  内側段差部
２０  軸受半円筒体
２２  周方向端面
２４  外側段差部
３０  被支持軸
４０  コネクチングロッド
４２  大端部
５０  軸受キャップ
６０  クランクピン
Ａ  被支持軸の回転方向
Ｂ  潤滑オイルの流動方向
ＣＬ１  間隙
ＣＬ２  間隙
ＯＩＬ  潤滑オイル
Ｈ  深さ
Ｌ  コネクチングロッドの軸線
α  円周角
【図１】
2010116961.tif 000005
【図２】
2010116961.tif 000006
【図３】
2010116961.tif 000007
【図４】
2010116961.tif 000008
【図５】
2010116961.tif 000009
【図６】
2010116961.tif 000010
【図７】
2010116961.tif 000011
【図８】
2010116961.tif 000012
【図９】
2010116961.tif 000013
【図１０】
2010116961.tif 000014